(57)【要約】【課題】コンテンツを出力することによってどれだけの集客効果やメリットがあるのかを容易に評価できるようにする。【解決手段】デジタルサイネージ装置１によれば、制御部２３は、コンテンツの出力時に撮像部３４により取得した撮影画像に基づいて人を検出するとともに、コンテンツの非出力時に撮像部３４により取得した撮影画像に基づいて人を検出する。そして、コンテンツの出力時と非出力時の検出結果を比較し、比較結果に基づいてコンテンツを評価する。【選択図】図５
2017174385.tif 000002
【特許請求の範囲】
【請求項１】
コンテンツの出力時に人を検出する第一検出手段と、
コンテンツの非出力時に人を検出する第二検出手段と、
前記第一検出手段及び前記第二検出手段による検出結果に基づいてコンテンツを評価する評価手段と、
を備えるコンテンツ評価装置。
【請求項２】
前記評価手段は、前記第一検出手段による検出結果及び前記第二検出手段による検出結果を比較し、比較結果に基づいてコンテンツを評価する請求項１に記載のコンテンツ評価装置。
【請求項３】
前記評価手段は、前記第一検出手段により検出された人数と前記第二検出手段により検出された人数の差に基づいてコンテンツを評価する請求項２に記載のコンテンツ評価装置。
【請求項４】
前記評価手段は、前記第一検出手段により人が検出されていた時間と前記第二検出手段により人が検出されていた時間の差に基づいてコンテンツを評価する請求項２に記載のコンテンツ評価装置。
【請求項５】
前記評価手段は、予め定められた条件が同じ条件下で検出された前記第一検出手段による検出結果及び前記第二検出手段による検出結果を比較し、比較結果に基づいてコンテンツを評価する請求項２〜４の何れか一項に記載のコンテンツ評価装置。
【請求項６】
前記評価手段は、時間帯、曜日及び場所が同じ条件下で検出された前記第一検出手段による検出結果及び前記第二検出手段による検出結果を比較する請求項５に記載のコンテンツ評価装置。
【請求項７】
前記第一検出手段は、表示コンテンツのみ、音声コンテンツのみ、又は表示コンテンツ及び音声コンテンツの双方、の何れかの出力時に人を検出する請求項１〜６の何れか一項に記載のコンテンツ評価装置。
【請求項８】
前記評価手段は、前記第一検出手段及び前記第二検出手段による検出結果に基づいて、コンテンツとそのコンテンツの出力時にコンテンツ出力手段の近傍に陳列されていた商品との相性を評価する請求項１〜７の何れか一項に記載のコンテンツ評価装置。
【請求項９】
前記評価手段は、前記第一検出手段及び前記第二検出手段による検出結果に基づいて、コンテンツとそのコンテンツに対応づけられた商品との相性を評価する請求項１〜８の何れか一項に記載のコンテンツ評価装置。
【請求項１０】
前記コンテンツの出力時に前記商品の近傍にいる人を検出する第三検出手段と、
前記コンテンツの非出力時に前記商品の近傍にいる人を検出する第四検出手段と、をさらに備え、
前記評価手段は、前記第一検出手段及び前記第二検出手段による検出結果と、前記第三検出手段及び前記第四検出手段による検出結果とに基づいて、コンテンツと前記商品との相性を評価する請求項９に記載のコンテンツ評価装置。
【請求項１１】
前記評価手段は、前記第一検出手段の検出結果が前記第二検出手段の検出結果よりも良く、前記第三検出手段の検出結果が前記第四検出手段の検出結果よりも良い場合、コンテンツと前記商品との相性が良いと評価する請求項１０に記載のコンテンツ評価装置。
【請求項１２】
前記評価手段は、前記第一検出手段の検出結果が前記第二検出手段の検出結果よりも良く、前記第三検出手段の検出結果が前記第四検出手段の検出結果よりも悪い場合、コンテンツと前記商品との相性が悪いと評価する請求項１０又は１１に記載のコンテンツ評価装置。
【請求項１３】
コンテンツの出力時に人を検出する第一検出工程と、
コンテンツの非出力時に人を検出する第二検出工程と、
前記第一検出工程及び前記第二検出工程における検出結果に基づいてコンテンツを評価する評価工程と、
を含むコンテンツ評価方法。
【請求項１４】
コンピュータを、
コンテンツの出力時に人を検出する第一検出手段、
コンテンツの非出力時に人を検出する第二検出手段、
前記第一検出手段及び前記第二検出手段による検出結果に基づいてコンテンツを評価する評価手段、
として機能させるためのプログラム。
【発明の詳細な説明】
【技術分野】
【０００１】
本発明は、コンテンツ評価装置、コンテンツ評価方法、及びプログラムに関する。
【背景技術】
【０００２】
従来、コンテンツに登場する人物等の輪郭の形状に形成されたスクリーンにコンテンツを投影する映像出力装置搭載機器が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
ところで、特許文献１のようなコンテンツ出力装置を設置してコンテンツを出力することによってどれだけの集客効果やメリットがあるのかを評価することは難しかった。
【０００５】
本発明の課題は、コンテンツを出力することによってどれだけの集客効果やメリットがあるのかを容易に評価できるようにすることである。
【課題を解決するための手段】
【０００６】
上記課題を解決するため、請求項１に記載の発明のコンテンツ評価装置は、
コンテンツの出力時に人を検出する第一検出手段と、
コンテンツの非出力時に人を検出する第二検出手段と、
前記第一検出手段及び前記第二検出手段による検出結果に基づいてコンテンツを評価する評価手段と、
を備える。
【発明の効果】
【０００７】
本発明によれば、コンテンツを出力することによってどれだけの集客効果やメリットがあるのかを容易に評価することが可能となる。
【図面の簡単な説明】
【０００８】
【図１】本実施形態におけるデジタルサイネージ装置の機能的構成を示すブロック図である。
【図２】図１のスクリーン部の概略構成を示す図である。
【図３】図１の効果測定スケジュール記憶部のデータ格納例を示す図である。
【図４】図１の検出結果記憶部のデータ格納例を示す図である。
【図５】図１の制御部により実行される効果測定処理を示すフローチャートである。
【図６】コンテンツの評価結果を示すグラフである。
【発明を実施するための形態】
【０００９】
以下、添付図面を参照して本発明に係る好適な実施形態を詳細に説明する。以下の実施形態では、本発明に係るコンテンツ評価装置をデジタルサイネージ装置１に適用した場合を例にとり説明する。なお、本発明は、図示例に限定されるものではない。
【００１０】
［デジタルサイネージ装置１の構成］
図１は、デジタルサイネージ装置１の主制御構成を示すブロック図である。図２は、図１のスクリーン部２２の概略構成を示す正面図である。
デジタルサイネージ装置１は、例えば、店舗で取り扱っている商品に係るコンテンツを出力する装置であり、図１に示すように、コンテンツの映像光を照射する投影部２１と、投影部２１から照射された映像光を背面で受けて前面に投影するスクリーン部２２とを備えている。
【００１１】
まず、投影部２１について説明する。
投影部２１は、制御部２３と、プロジェクタ２４と、記憶部２５と、通信部２６と、計時部３０と、を備えている。プロジェクタ２４、記憶部２５、通信部２６、計時部３０は、図１に示すように制御部２３に接続されている。
【００１２】
制御部２３は、記憶部２５のプログラム記憶部２５１に記憶されている各種のプログラムを実行して所定の演算や各部の制御を行うＣＰＵとプログラム実行時の作業領域となるメモリとを備えている（いずれも図示略）。制御部２３は、プログラムとの協働により、後述する効果測定処理やコンテンツ評価処理を始めとする各種処理を実行する。制御部２３は、撮像部３４との協働により第一検出手段、第二検出手段として機能する。また、制御部２３は、評価手段として機能する。
【００１３】
プロジェクタ２４は、制御部２３から出力された画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
【００１４】
記憶部２５は、ＨＤＤ（Hard Disk Drive）や不揮発性の半導体メモリ等により構成される。記憶部２５には、図１に示すように、プログラム記憶部２５１が設けられている。プログラム記憶部２５１には、制御部２３で実行されるシステムプログラムや、後述する効果測定処理やコンテンツ評価処理を始めとする各種処理を実行するための処理プログラム、これらのプログラムの実行に必要なデータ等が記憶されている。
【００１５】
また、記憶部２５には、コンテンツ記憶部２５２が設けられている。コンテンツ記憶部２５２には、コンテンツの識別情報に対応付けて、デジタルサイネージ装置１で再生するコンテンツのデータが記憶されている。コンテンツデータは、例えば、複数のフレーム画像により構成される動画データ（表示コンテンツのデータ）及び各フレーム画像に対応する音声データ（音声コンテンツのデータ）により構成されている。
【００１６】
また、記憶部２５には、効果測定スケジュール記憶部２５３が設けられている。図３に、効果測定スケジュール記憶部２５３のデータ格納例を示す。効果測定スケジュール記憶部２５３には、図３に示すように「測定グループＩＤ」、「測定ＩＤ」、「日付」、「時間帯」、「曜日」、「モード」、「出力対象コンテンツ」等の項目が設けられており、デジタルサイネージ装置１を設置してコンテンツを出力することによる効果の測定を実施するスケジュールが記憶される。
【００１７】
ここで、本実施形態において、コンテンツを出力することによる効果の測定は、同じ条件下（例えば、時間帯、曜日、及び場所が同じ）でコンテンツ出力時とコンテンツ非出力時の売場における人の検出数又は人の滞在時間（即ち、人の検出時間）を測定して比較することにより行う。本実施形態において、デジタルサイネージ装置１の設置位置は固定である。効果測定スケジュール記憶部２５３の「測定グループＩＤ」の項目には、比較を行う複数の測定により構成される測定グループを識別するためのＩＤが格納される。「測定ＩＤ」の項目には、各測定を識別するためのＩＤが格納される。「日付」、「時間帯」、「曜日」には、各測定を行う測定日時（日付、時間帯）、曜日が格納される。なお、同一の測定グループ内の「時間帯」及び「曜日」には、同じ値が格納される。「モード」の項目には、コンテンツ出力モード（プロジェクタ２４と音声出力部３３をオンにしてコンテンツを出力状態とするモード）とコンテンツ非出力モード（プロジェクタ２４と音声出力部３３をオフにしてコンテンツを非出力状態とするモード）の区別が格納される。「出力対象コンテンツ」の項目には、効果測定対象となるコンテンツの識別情報が格納される。
なお、効果測定のスケジュールは、操作部３２により設定することができる。また、通信部２６を介して外部のサーバ等から受信することとしてもよい。
【００１８】
また、記憶部２５には、検出結果記憶部２５４が設けられている。検出結果記憶部２５４には、図４に示すように、「測定グループＩＤ」、「測定ＩＤ」、「モード」、「検出日時」、「性別」、「年齢」、「滞在時間」等の項目が設けられており、効果測定中にデジタルサイネージ装置１が設置されている売場付近に検出された人物の特徴（性別、年齢）や滞在時間等の検出結果情報を記憶する。
【００１９】
通信部２６は、モデム、ルータ、ネットワークカード等により構成され、ＬＡＮ（Local Area Network）、ＷＡＮ（Wide Area Network）等の通信ネットワークに接続された外部機器との通信を行う。
【００２０】
計時部３０は、ＲＴＣ（Real Time Clock）等により構成され、現在日時を取得して制御部２３に出力する。
【００２１】
次に、スクリーン部２２について説明する。
図２に示すように、スクリーン部２２には、画像形成部２７と、画像形成部２７を支持する台座２８とが備えられている。
【００２２】
画像形成部２７は、映像光の照射方向に対して略直交するように配置された、例えばアクリル板などの人型に成形された一枚の透光板２９に、フィルム状のフレネルレンズが積層された背面投影用のフィルムスクリーン２９１や予め人物が印刷されたフィルム２９２が貼付されて構成されたスクリーンである。プロジェクタ２４は、画像形成部２７のフィルムスクリーン２９１が貼付された領域に画像を投影する。なお、透光板２９全体にフィルムスクリーン２９１を貼付した構成とし、人物についても投影を行うこととしてもよい。画像形成部２７と前述したプロジェクタ２４とにより、表示手段を構成している。
【００２３】
台座２８には、ボタン式の操作部３２と、音声を出力するスピーカなどの音声出力部３３と、撮像部３４と、プリンタ３５が設けられている。
【００２４】
操作部３２は、複数の操作ボタンを備え、操作ボタンの押下信号を検出して制御部２３に出力する。
【００２５】
撮像部３４は、デジタルサイネージ装置１が設置された売場の画像を撮影して撮影画像を生成する。撮像部３４は、図示は省略するが、光学系及び撮像素子を備えるカメラと、カメラを制御する撮像制御部とを備えている。
カメラの光学系は、デジタルサイネージ装置１が設置された売場にいる人物を撮影可能な方向に向けられている。また、その撮像素子は、例えば、ＣＣＤ（Charge Coupled Device）やＣＭＯＳ（Complementary Metal-oxide Semiconductor）等のイメージセンサである。そして、撮像素子は、光学系を通過した光学像を２次元の画像信号に変換する。
【００２６】
プリンタ３５は、制御部２３からの指示に従って用紙に印刷を行い、排出口３５１から出力する。
【００２７】
操作部３２、音声出力部３３、撮像部３４、プリンタ３５は、図１に示すように制御部２３に接続されている。
【００２８】
［デジタルサイネージ装置１の動作］
次に、デジタルサイネージ装置１の動作について説明する。
図５に、デジタルサイネージ装置１において実行される効果測定処理のフローチャートを示す。効果測定処理は、効果測定スケジュール記憶部２５３に記憶されている各測定の測定日時が到来した際に、制御部２３とプログラム記憶部２５１に記憶されているプログラムとの協働により実行される。
【００２９】
まず、制御部２３は、効果測定スケジュール記憶部２５３を参照し、測定対象のモードがコンテンツ出力モードであるかコンテンツ非出力モードであるかを判断する（ステップＳ１）。
【００３０】
測定するモードがコンテンツ出力モードである場合（ステップＳ１；コンテンツ出力モード）、制御部２３は、画像形成部２７及び音声出力部３３によりコンテンツの出力を開始させ（ステップＳ２）、ステップＳ４に移行する。例えば、制御部２３は、コンテンツ記憶部２５２から効果測定スケジュール記憶部２５３に出力するコンテンツとして設定されているコンテンツのコンテンツデータを読み出し、そのフレーム画像を順次プロジェクタ２４に出力してプロジェクタ２４により画像形成部２７に投影させる。また、読み出したコンテンツデータの音声データを音声出力部３３に出力し、コンテンツの音声を出力させる。
【００３１】
測定するモードがコンテンツ非出力モードである場合（ステップＳ１；コンテンツ非出力モード）、制御部２３は、プロジェクタ２４及び音声出力部３３をオフにして、画像形成部２７及び音声出力部３３からコンテンツが出力されない状態（コンテンツ非出力状態）とし（ステップＳ３）、ステップＳ４に移行する。
【００３２】
ステップＳ４において、制御部２３は、人検出処理を実行する（ステップＳ４）。ステップＳ４において、制御部２３は、例えば、撮像部３４に撮影を行わせ、得られた撮影画像に対し人検出処理を実行する。人検出処理としては、例えば、予め準備した背景のみの画像と撮影画像との差分を取ることで人物を検出する手法、パターン認識により人物形状を検出する手法等、公知の画像処理技術を用いることができる。なお、撮影画像には、ヘッダに撮影日時が書き込まれる。
【００３３】
次いで、制御部２３は、人検出処理の結果、人が検出されたか否かを判断する（ステップＳ５）。人が検出されていないと判断した場合（ステップＳ５；ＮＯ）、制御部２３は、ステップＳ９に移行する。
【００３４】
一方、人が検出されたと判断した場合（ステップＳ５；ＹＥＳ）、制御部２３は、ステップＳ４で取得された撮影画像に顔認識処理を行い（ステップＳ６）、得られた顔画像に基づいて性別及び年齢の推定を行う（ステップＳ７）。そして、制御部２３は、検出結果を検出結果記憶部２５４に記憶させ（ステップＳ８）、ステップＳ９に移行する。
顔認識処理としては、例えば、特開２００６−２０２０４９号公報に記載のように、公知の画像処理技術を用いることができる。また、顔画像に基づく性別及び年齢の推定処理としては、例えば、特開２０１２−５３８１３号公報に記載のように、公知の画像処理技術を用いることができる。検出結果としては、例えば、測定ＩＤ、モード、検出日時、検出された人の性別及び年齢、検出された人の滞在時間（即ち、検出時間）等を検出結果記憶部２５４に記憶させる。
【００３５】
ここで、滞在時間を算出するため、制御部２３は、例えば、１フレーム目の撮影画像から顔認識を行った後、認識された顔画像を検出日時（撮影画像の撮影日時）に対応付けてメモリに記憶する。次のフレームの撮影画像からの顔認識が終了すると、制御部２３は、認識された顔画像をメモリに記憶されている顔画像と照合し、認識された顔画像と同じ人物の顔画像がメモリに存在しない場合、制御部２３は、認識された顔画像を検出日時に対応付けてメモリに記憶する。認識された顔画像と同じ人物の顔画像がメモリに存在した場合、制御部２３は、そのメモリに記憶されている顔画像に対応する検出日時に認識された顔画像の検出日時を追加する。メモリに記憶されている顔画像のうち、認識された顔画像と一致しなかった顔画像については、その顔画像に対応付けられている検出日時に基づいて、その顔画像の人物の売場への滞在時間を算出し、検出結果記憶部２５４に検出結果情報を記憶させる。
【００３６】
ステップＳ９において、制御部２３は、測定終了時刻が到来したか否かを判断する（ステップＳ９）。測定終了時刻が到来していないと判断した場合（ステップＳ９；ＮＯ）、制御部２３は、ステップＳ４に戻る。
ステップＳ９において、測定終了時刻が到来したと判断した場合（ステップＳ９；ＹＥＳ）、制御部２３は、効果測定処理を終了する。
【００３７】
効果測定スケジュール記憶部２５３に記憶されている測定グループ内の全測定が終了すると、制御部２３は、コンテンツ評価処理を実行する。コンテンツ評価処理は、制御部２３とプログラム記憶部２５１に記憶されているプログラムとの協働により実行される。
【００３８】
コンテンツ評価処理において、例えば、制御部２３は、検出結果記憶部２５４に記憶されている評価実施対象の測定グループの各測定毎に、検出人数、一人当たりの滞在時間の平均（即ち、一人当たりが検出されていた時間の平均（平均検出時間と呼ぶ。））、又は滞在時間の合計（即ち、人が検出されていた時間である人検出時間の合計）等を集計する。そして、コンテンツ出力モードの各測定の集計結果をコンテンツ非出力モードの測定の集計結果と比較し、比較結果に基づいて、コンテンツの評価を行う。例えば、コンテンツ出力モードによる各測定時の検出人数（又は、一人当たりの平均検出時間若しくは人検出時間の合計）とコンテンツ非出力モードによる測定時の検出人数（又は、一人当たりの平均検出時間若しくは人検出時間の合計）の差が所定の閾値（閾値は１つでも複数でもよい）を超えているか否かに基づいて、各コンテンツのスコアを判定する。これにより、各コンテンツの集客効果を容易に評価することができる。また、図６に示すように、コンテンツ出力モード時における集計結果とコンテンツ非出力モード時の集計結果をグラフ化してプリンタ３５から出力したり、通信部２６を介して外部のＰＣ（Personal Computer）に出力したりすることとしてもよい。図６に示すグラフは一例であり、更に、男女の年代別に棒グラフ内を区分けして表示してもよい。また、縦軸は一人当たりの平均検出時間としてもよいし、人検出時間の合計としてもよい。
【００３９】
なお、複数のコンテンツのそれぞれの出力時の人の検出結果とコンテンツ非出力時の人の検出結果を比較することにより、複数の各コンテンツを出力することによる集客効果を評価することができるが、一つのコンテンツの出力時の検出結果とコンテンツ非出力時の人の検出結果を比較することで、デジタルサイネージ装置１を置いてコンテンツを出力するときの集客効果を評価することができる。
【００４０】
以上説明したように、デジタルサイネージ装置１によれば、制御部２３は、コンテンツの出力時に撮像部３４により取得した撮影画像に基づいて人を検出するとともに、コンテンツの非出力時に撮像部３４により取得した撮影画像に基づいて人を検出する。そして、コンテンツの出力時と非出力時の検出結果を比較し、比較結果に基づいてコンテンツを評価する。例えば、制御部２３は、コンテンツの出力時に検出された人数とコンテンツの非出力時に検出された人数の差に基づいてコンテンツを評価する。或いは、コンテンツの出力時に人が検出されていた時間とコンテンツの非出力時に人が検出されていた時間の差に基づいてコンテンツを評価する。
従って、コンテンツを出力することによってどれだけの集客効果やメリットがあるのかを容易に把握することが可能となる。
【００４１】
また、予め定められた条件、例えば、時間帯、曜日及び場所が同じ条件下で検出されたコンテンツの出力時の検出結果及びコンテンツ非出力時の検出結果を比較し、比較結果に基づいてコンテンツを評価することで、コンテンツを出力することによってどれだけの集客効果やメリットがあるのかを正確に把握することが可能となる。
【００４２】
なお、上記実施形態における記述内容は、本発明に係るデジタルサイネージ装置１の好適な一例であり、これに限定されるものではない。
【００４３】
例えば、上記効果測定処理において、検出結果を記憶する際に、デジタルサイネージ装置１付近に陳列されている商品の情報を検出結果に対応付けて記憶することとしてもよい。そして、コンテンツ評価処理においては、その記憶した商品ごとにコンテンツの出力時の検出結果及びコンテンツ非出力時の検出結果を比較することとしてもよい。例えば、コンテンツ出力時の検出結果及びコンテンツ非出力時の検出結果の差がなく、検出人数が所定の人数より多かった場合は、商品自体に魅力があり、コンテンツの影響はさほど大きいものではないことがわかる。さらに、ある商品を陳列した場合に、コンテンツ出力時の検出結果がコンテンツ非出力時の検出結果より所定の人数多かったとすると、商品とコンテンツの相性が良いと判定することも可能である。また、コンテンツ出力時の検出結果がコンテンツ非出力時の検出結果より所定の人数少なかった場合は、コンテンツを出力することで商品に対する負の影響があり、コンテンツとの相性が悪いと評価することが可能である。従って、コンテンツを出力することによってどれだけのメリットがあるのかを把握することが可能となる。
【００４４】
また上記の例の場合、更にコンテンツに対応付けられた商品が陳列されている位置もしくはその近傍（商品近傍）のコンテンツ出力時の人数を検出する第三検出手段及びコンテンツ非出力時の人数を検出する第四検出手段を更に備えてもよい。例えば、コンテンツに対応付けられた商品が陳列されている位置もしくはその近傍（商品近傍）を撮影する撮像装置を備える構成とし、制御部２３は、コンテンツの出力時に上述の撮像装置により取得した撮影画像に基づいてコンテンツ出力時の人数を検出し、コンテンツの非出力時に上述の撮像装置により取得した撮影画像に基づいてコンテンツの非出力時の人数を検出することとしてもよい。また、コンテンツに対応付けられた商品が陳列されている位置もしくはその近傍（商品近傍）に人感センサを備える構成とし、制御部２３は、コンテンツの出力時の上述の人感センサの検出値に基づいてコンテンツ出力時の人数を検出し、コンテンツの非出力時の上述の人感センサの検出値に基づいてコンテンツ非出力時の人数を検出することとしてもよい。この時、制御部２３は、コンテンツ非出力時に比べ、コンテンツ出力時のデジタルサイネージ装置１付近の人数の検出結果が良く、同じくコンテンツ非出力時に比べ、コンテンツ出力時の商品近傍の人数の検出結果が良い場合、コンテンツと商品の相性が良いと評価することができる。また、コンテンツ非出力時に比べ、コンテンツ出力時のデジタルサイネージ装置１付近の人数の検出結果が良く、一方コンテンツ非出力時に比べ、コンテンツ出力時の商品近傍の人数の検出結果が悪い場合、コンテンツと商品の相性が悪いと評価することができる。これにより、コンテンツを出力することによってどれだけのメリットがあるのかを把握することが可能となる。
【００４５】
また、例えば、上記実施形態においては、デジタルサイネージ装置１において効果測定処理及びコンテンツ評価処理の双方を行うこととしたが、これに限定されるものではない。例えば、デジタルサイネージ装置１が通信部２６を介してコンテンツ評価処理を実行するサーバ装置と接続されている構成とし、効果測定処理で記憶された検出結果情報をサーバ装置に送信し、サーバ装置において受信した検出結果情報を記憶部に記憶して、受信した検出結果情報に基づいてコンテンツ評価処理を行うこととしてもよい。
【００４６】
また、上記実施形態においては、コンテンツを出力するデジタルサイネージ装置１に第一検出手段、第二検出手段及び評価手段を備える構成としたが、第一検出手段、第二検出手段及び評価手段はコンテンツを出力する装置と別体の装置に備えられている構成としてもよい。
【００４７】
また、上記実施形態において、コンテンツ出力モードでは表示コンテンツと音声コンテンツの両方を出力にする場合を例にとり説明したが、一部のコンテンツのみを出力するモード、例えば、表示コンテンツのみを出力するモード、音声コンテンツのみを出力するモードを設けてもよい。そして、それぞれのコンテンツ出力モードにおける人の検出結果をコンテンツ非出力モードにおける人の検出結果と比較し、比較結果に基づいて、表示コンテンツのみを出力した場合、音声コンテンツのみを出力した場合、表示及び音声コンテンツの双方を出力した場合のそれぞれを評価することとしてもよい。これにより、表示コンテンツのみを出力した場合、音声コンテンツのみを出力した場合、表示及び音声コンテンツの双方を出力した場合のそれぞれの集客効果を把握することが可能となる。
【００４８】
また、上記実施形態においては、撮像部３４を用いて人を検出することとしたが、人感センサを用いる構成としてもよい。
【００４９】
また、上記実施形態におけるデジタルサイネージ装置１は、プロジェクタからスクリーンに画像を投影することで画像の表示を行うものとして説明したが、例えば、液晶ディスプレイ、プラズマディスプレイ等、他の表示装置を有するものとしてもよい。
【００５０】
その他、デジタルサイネージ装置の細部構成及び細部動作に関しても、発明の趣旨を逸脱することのない範囲で適宜変更可能である。
【００５１】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
コンテンツの出力時に人を検出する第一検出手段と、
コンテンツの非出力時に人を検出する第二検出手段と、
前記第一検出手段及び前記第二検出手段による検出結果に基づいてコンテンツを評価する評価手段と、
を備えるコンテンツ評価装置。
＜請求項２＞
前記評価手段は、前記第一検出手段による検出結果及び前記第二検出手段による検出結果を比較し、比較結果に基づいてコンテンツを評価する請求項１に記載のコンテンツ評価装置。
＜請求項３＞
前記評価手段は、前記第一検出手段により検出された人数と前記第二検出手段により検出された人数の差に基づいてコンテンツを評価する請求項２に記載のコンテンツ評価装置。
＜請求項４＞
前記評価手段は、前記第一検出手段により人が検出されていた時間と前記第二検出手段により人が検出されていた時間の差に基づいてコンテンツを評価する請求項２に記載のコンテンツ評価装置。
＜請求項５＞
前記評価手段は、予め定められた条件が同じ条件下で検出された前記第一検出手段による検出結果及び前記第二検出手段による検出結果を比較し、比較結果に基づいてコンテンツを評価する請求項２〜４の何れか一項に記載のコンテンツ評価装置。
＜請求項６＞
前記評価手段は、時間帯、曜日及び場所が同じ条件下で検出された前記第一検出手段による検出結果及び前記第二検出手段による検出結果を比較する請求項５に記載のコンテンツ評価装置。
＜請求項７＞
前記第一検出手段は、表示コンテンツのみ、音声コンテンツのみ、又は表示コンテンツ及び音声コンテンツの双方、の何れかの出力時に人を検出する請求項１〜６の何れか一項に記載のコンテンツ評価装置。
＜請求項８＞
前記評価手段は、前記第一検出手段及び前記第二検出手段による検出結果に基づいて、コンテンツとそのコンテンツの出力時にコンテンツ出力手段の近傍に陳列されていた商品との相性を評価する請求項１〜７の何れか一項に記載のコンテンツ評価装置。
＜請求項９＞
前記評価手段は、前記第一検出手段及び前記第二検出手段による検出結果に基づいて、コンテンツとそのコンテンツに対応づけられた商品との相性を評価する請求項１〜８の何れか一項に記載のコンテンツ評価装置。
＜請求項１０＞
前記コンテンツの出力時に前記商品の近傍にいる人を検出する第三検出手段と、
前記コンテンツの非出力時に前記商品の近傍にいる人を検出する第四検出手段と、をさらに備え、
前記評価手段は、前記第一検出手段及び前記第二検出手段による検出結果と、前記第三検出手段及び前記第四検出手段による検出結果とに基づいて、コンテンツと前記商品との相性を評価する請求項９に記載のコンテンツ評価装置。
＜請求項１１＞
前記評価手段は、前記第一検出手段の検出結果が前記第二検出手段の検出結果よりも良く、前記第三検出手段の検出結果が前記第四検出手段の検出結果よりも良い場合、コンテンツと前記商品との相性が良いと評価する請求項１０に記載のコンテンツ評価装置。
＜請求項１２＞
前記評価手段は、前記第一検出手段の検出結果が前記第二検出手段の検出結果よりも良く、前記第三検出手段の検出結果が前記第四検出手段の検出結果よりも悪い場合、コンテンツと前記商品との相性が悪いと評価する請求項１０又は１１に記載のコンテンツ評価装置。
＜請求項１３＞
コンテンツの出力時に人を検出する第一検出工程と、
コンテンツの非出力時に人を検出する第二検出工程と、
前記第一検出工程及び前記第二検出工程における検出結果に基づいてコンテンツを評価する評価工程と、
を含むコンテンツ評価方法。
＜請求項１４＞
コンピュータを、
コンテンツの出力時に人を検出する第一検出手段、
コンテンツの非出力時に人を検出する第二検出手段、
前記第一検出手段及び前記第二検出手段による検出結果に基づいてコンテンツを評価する評価手段、
として機能させるためのプログラム。
【符号の説明】
【００５２】
１  デジタルサイネージ装置
２１  投影部
２２  スクリーン部
２３  制御部
２４  プロジェクタ
２５  記憶部
２５１  プログラム記憶部
２５２  コンテンツ記憶部
２５３  効果測定スケジュール記憶部
２５４  検出結果記憶部
２６  通信部
２７  画像形成部
２８  台座
２９  透光板
３０  計時部
３２  操作部
３３  音声出力部
３４  撮像部
３５  プリンタ
【図１】
2017174385.tif 000003
【図２】
2017174385.tif 000004
【図３】
2017174385.tif 000005
【図４】
2017174385.tif 000006
【図５】
2017174385.tif 000007
【図６】
2017174385.tif 000008